(57)【要約】【課題】  取り付け容易でビビリ音が生じない高音質のスピーカーを備えること。【解決手段】  キャビネット３内の下部にスピーカー４が配置された薄型表示装置において、フロントキャビネット３Ａの底板部３ａにスピーカー載置台１０が一体形成され、該スピーカー載置台１０の両端部より上方に位置する左右一対の支持杆１１がフロントキャビネット３Ａの裏面に一体突設され、該各支持杆１１の先端にその支持杆１１の外径よりも大径の抜け止め部材１２が設けられ、スピーカー４の外周縁に着脱可能に取り付けられる環状本体１３ａと、該環状本体１３ａに一体突設された左右一対のアーム部１３ｂと、該各アーム部１３ｂの上端に一体突設されて各支持杆１１の下面に係合可能な係合枠１３ｃとを有する弾性材製ホルダ１３が設けられている。【選択図】        図４
2010283636.tif 000002
【特許請求の範囲】
【請求項１】
薄型表示部にフロントキャビネットとリアキャビネットからなる合成樹脂製キャビネッ
トが被せられ、該キャビネット内の下部にスピーカーが配置された薄型表示装置において
、キャビネットの底板部にスピーカー載置台が一体形成され、該スピーカー載置台の両端
部より上方に位置する左右一対の支持杆がフロントキャビネットの裏面に一体突設され、
該各支持杆の先端にその支持杆の外径よりも大径の抜け止め部材が設けられ、スピーカー
の外周縁に着脱可能に取り付けられる環状本体と、該環状本体に一体突設された左右一対
のアーム部と、該各アーム部の上端に一体突設されて前記各支持杆の下面に係合可能な係
合枠とを有する弾性材製ホルダが設けられており、スピーカー載置台上にホルダの環状本
体を介してスピーカーを載置し、ホルダの各係合枠を各支持杆の下面に係合させるように
したことを特徴とする薄型表示装置。
【請求項２】
前記環状本体の両アーム部間に一対の縁板部が該環状体の長手方向に沿って一体突設さ
れており、スピーカーの外周縁を環状本体に当接させたときに、そのスピーカーの外周縁
に両縁板部が当接されるようにしたことを特徴とする請求項１に記載の薄型表示装置。
【請求項３】
前記スピーカー載置台上にホルダの環状本体を介してスピーカーを載置した状態で該ス
ピーカーの外周縁に接近または当接するストッパがフロントキャビネットの裏面に一体突
設されていることを特徴とする請求項２に記載の薄型表示装置。
【発明の詳細な説明】
【技術分野】
【０００１】
本発明は、例えば液晶テレビなどの薄型表示装置に関し、特に、取り付け容易でビビリ
音が生じない高音質のスピーカーを備えたものである。
【背景技術】
【０００２】
従来、薄型表示装置の一例として図６の斜視図に示すものがあり、これは液晶テレビで
あって、スタンド１上に液晶モージュール（薄型表示部）２が固定され、該液晶モジュ−
ル２にフロントキャビネット３Ａとリアキャビネット３Ｂからなるキャビネット３が被せ
られ、該キャビネット３内の下部のフロントキャビネット３Ａに一対のスピーカー４が取
り付けられている。
【０００３】
上記構成によれば、スピーカー４の振動がフロントキャビネット３Ａに伝わって、該フ
ロントキャビネット３Ａからビビリ音を発生させ、ユーザーに不快感を与えるおそれがあ
る。
【０００４】
上記難点を解消する技術として特許文献１に記載したものがある。これは、図７（ａ）
の要部の側面図及び図７（ｂ）の要部の斜視図に示すように、スピーカー４からの音を前
方に送り出すための円筒部５と、該円筒部５を間に挟んで上下一対設けられたボス６と、
その上側ボス６と円筒部５との間に配置された棒状支持部７とを有し、該棒状支持部７に
スピーカー４を当接させ、該スピーカー４の両端を各ボス６にビス８で止着しており、こ
れによれば、スピーカー４を傾斜して取り付けることにより、該スピーカー４とフロント
キャビネット３Ａとの接触面積が著しく減少され、そのスピーカー４からフロントキャビ
ネット３Ａに伝わる振動を低減する。
【先行技術文献】
【特許文献】
【０００５】
【特許文献１】特開２００４−４８２９４号公報
【発明の概要】
【発明が解決しようとする課題】
【０００６】
上記従来の構成では、スピーカー４の振動が該スピーカー４の下端縁からフロントキャ
ビネット３Ａに対して直接に伝わると共に、その振動が両ビス８を介してもフロントキャ
ビネット３Ａに伝わるので、そのフロントキャビネット３Ａを傾斜させたことによる振動
の低減率は比較的小さく、フロントキャビネット３Ａからビビリ音が発生するのを充分に
防げない。
【０００７】
そこで、不織布などの振動吸収材をフロントキャビネット３Ａに裏面に貼着することが
考えられているが、これでは、部品点数が増加してコストアップになる。
【０００８】
また、スピーカー４と円筒部５との間に隙間があるため、その隙間から音が側方に漏れ
てキャビネット３内にこもり、音質が低下する。
【０００９】
更に、スピーカー４をフロントキャビネット３Ａに傾斜状態で取り付けてビス８で固定
するのに手間かかって面倒であり、組立作業能率が低い。
【００１０】
本発明は、上記従来の欠点に鑑み、取り付け容易でビビリ音が生じない高音質のスピー
カーを備えた薄型表示装置を提供することを目的としている。
【課題を解決するための手段】
【００１１】
上記目的を達成するため、請求項１に記載の発明は、薄型表示部にフロントキャビネッ
トとリアキャビネットからなる合成樹脂製キャビネットが被せられ、該キャビネット内の
下部にスピーカーが配置された薄型表示装置において、キャビネットの底板部にスピーカ
ー載置台が一体形成され、該スピーカー載置台の両端部より上方に位置する左右一対の支
持杆がフロントキャビネットの裏面に一体突設され、該各支持杆の先端にその支持杆の外
径よりも大径の抜け止め部材が設けられ、スピーカーの外周縁に着脱可能に取り付けられ
る環状本体と、該環状本体に一体突設された左右一対のアーム部と、該各アーム部の上端
に一体突設されて前記各支持杆の下面に係合可能な係合枠とを有する弾性材製ホルダが設
けられており、スピーカー載置台上にホルダの環状本体を介してスピーカーを載置し、ホ
ルダの各係合枠を各支持杆の下面に係合させるようにしたことを特徴としている。
【００１２】
請求項２に記載の発明は、請求項１に記載の発明において、前記環状本体の両アーム部
間に一対の縁板部が該環状体の長手方向に沿って一体突設されており、スピーカーの外周
縁を環状本体に当接させたときに、そのスピーカーの外周縁に両縁板部が当接されるよう
にしたことを特徴としている。
【００１３】
請求項３に記載の発明は、請求項２に記載の発明において、前記スピーカー載置台上に
ホルダの環状本体を介してスピーカーを載置した状態で該スピーカーの外周縁に接近また
は当接するストッパがフロントキャビネットの裏面に一体突設されていることを特徴とし
ている。
【発明の効果】
【００１４】
請求項１に記載の発明によれば、スピーカー載置台上にホルダの環状本体を介してスピ
ーカーを載置し、ホルダの各係合枠を各支持杆の下面に係合させるだけで、スピーカーを
キャビネット内の下部の所定位置に迅速容易に取り付けることができる。
【００１５】
落下試験などでキャビネットに衝撃がかかり、その衝撃力によりスピーカーがスピーカ
ー載置台上から脱落されようとしても、各係合枠が各支持杆に係合されていると共に、該
各係合枠が各支持杆から抜け出るのを抜け止め部材で阻止しているから、その衝撃力に対
抗してスピーカーをスピーカー載置台上に確実に保持することができる。
【００１６】
スピーカーの振動が弾性材からなるホルダで吸収されるから、従来のようにスピーカー
の振動がフロントパネルに伝わってビビリ音を発生させることがなく、ユーザに良好な音
響環境を与えることができる。
【００１７】
ホルダには、スピーカーの保持機能と該スピーカーの振動吸収機能との両機能が備えら
れており、振動吸収用不織布などが不要であって、構造簡単であり、コストダウンを図る
ことができる。
【００１８】
ホルダの環状本体によりスピーカーの外周縁とスピーカー載置台との間の隙間を塞いで
いるため、側方に音が漏れてキャビネット内にこもることがなく、高音質のスピーカーを
提供することができる。
【００１９】
請求項２に記載の発明によれば、一対の縁板部をスピーカーの外周縁に当接させること
により、該スピーカーにホルダを不測に外れないように確実に取り付けることができると
共に、音漏れを一層防ぐことができる。
【００２０】
請求項３に記載の発明によれば、落下試験などでキャビネットに衝撃がかかり、その衝
撃力によりスピーカーがスピーカー載置台上から脱落されようとしても、その脱落をフロ
ントキャビネットの裏面に一体突設したストッパで阻止して、スピーカーをスピーカー載
置台上に一層確実に保持することができる。
【図面の簡単な説明】
【００２１】
【図１】本発明の実施の一形態である薄型表示装置を示す斜視図である。
【図２】同スピーカー取付構造を示す要部の縦断面図である。
【図３】図２のＡ−Ａ矢視図である。
【図４】同要部の斜視図である。
【図５】同要部の分解斜視図である。
【図６】従来例を示す斜視図である。
【図７】（ａ）は同スピーカー取付構造を示す要部の側面図、（ｂ）は同構造の要部の斜視図である。
【発明を実施するための形態】
【００２２】
図１〜図５は本発明の実施の一形態である薄型表示装置を示すものであり、これは液晶
テレビであって、フロントキャビネット３Ａの底板部３ａの上面にスピーカー載置台１０
が一体形成され、該スピーカー載置台１０の両端部より上方に位置する左右一対の円筒状
支持杆１１がフロントキャビネット３Ａの裏面に一体突設され、該各支持杆１１の先端に
抜け止め部材１２が設けられ、スピーカー４の外周縁に着脱可能に取り付けられるホルダ
１３が設けられている。上記以外の構成で図６及び図７に示す構成と同じ部分に同一符号
を付してその説明を省略する。
【００２３】
図２〜図５に示すように、前記スピーカー載置台１０は、底板部３ａに一体形成されて
前方に向かって水平線から所定の傾斜角度α（例えば１０°）で上広がり状に傾斜する底
板１０ａを有し、該底板１０ａに多数の通気孔１５が貫設され、その底板１０ａの両端部
から立ち上がる左右一対の側板１０ｂが設けられ、該各側板１０ｂの上端前部が各支持杆
１１の下面前部に一体形成されると共に、その各側板１０ｂの上端後部と各支持杆１１の
下面後部との間に空隙１６が形成されている。
【００２４】
図２〜図５に示すように、前記ホルダ１３は、軟質ゴムなどの弾性変位可能な弾性材か
らなり、スピーカー４の横長矩形状外周縁に当接する横長矩形環状の環状本体１３ａと、
該環状本体１３ａの短尺状の両縦桁部１９に一体突設された左右一対のアーム部１３ｂと
、該各アーム部１３ｂの上端に一体突設されて各支持杆１１の下面に係合可能な横断面略
Ｕ字状の係合枠１３ｃと、環状本体１３ａの長尺状の両横桁部２０に該両横桁部２０のほ
ぼ全長にわたって一体突設されてスピーカー４の外周縁に当接する一対の長尺状縁板部１
３ｄと、環状本体１３ａの四隅に一体突設されてスピーカー４の位置決め孔２１に嵌入可
能な位置決め突起部１３ｅとを有し、各アーム部１３ｂの内側面にスピーカー４の外周縁
に係合する凹段部２２が形成されている。
【００２５】
図２〜図５に示すように、前記各抜け止め部材１２は各支持杆１１の外径よりも大径の
リングからなり、各支持杆１１の先端にビス１７により止着され、その各支持杆１１の外
周面前部に位置決め用突条１８が該各支持杆１１の長手方向に沿って一体突設されており
、各支持杆１１の下面に係合させた各係合枠１３ｃが位置決め用突条１８と抜け止め部材
１２とで挟まれて、その各係合枠１３ｃが各支持杆１１の下面に沿って前後方向に滑らな
いようにしている。
【００２６】
図４及び図５に示すように、スピーカー載置台１０上にホルダ１３の環状本体１３ａを
介してスピーカー４を載置した状態で該スピーカー４の外周縁に接近または当接する一対
のストッパ２４がフロントキャビネット３Ａの裏面に所定間隔をおいて一体突設されてい
る。
【００２７】
スピーカー４の取付手順を説明すると、ホルダ１３の両縁板部１３ｄを押し分けて該ホ
ルダ１３の環状本体１３ａにスピーカー４の外周縁を当接させ、該スピーカー４の各位置
決め孔２１を各位置決め突起部１３ｅに嵌合させることにより、そのスピーカー４の外周
縁にホルダ１３を取り付けた後、図４に示すように、そのホルダ１３付きスピーカー４を
スピーカー載置台１０上に載置し、各アーム部１３ｂを弾性変位させて、各係合枠１３ｃ
を各支持杆１１の下面に係合させ、各ストッパ２４の下縁にスピーカー４の外周縁を接近
または当接させる。
【００２８】
上記構成によれば、スピーカー載置台１０上にホルダ１３の環状本体１３ａを介してス
ピーカー４を載置し、ホルダ１３の各係合枠１３ｃを各支持杆１１の下面に係合させるだ
けで、スピーカー４をキャビネット３内の下部の所定位置に迅速容易に取り付けることが
できる。
【００２９】
落下試験などでキャビネット３に衝撃がかかり、その衝撃力によりスピーカー４がスピ
ーカー載置台１０上から脱落されようとしても、各係合枠１３ｃが各支持杆１１に係合さ
れていると共に、該各係合枠１３ｃが各支持杆１１から抜け出るのを抜け止め部材１２で
阻止しているから、その衝撃力に対抗してスピーカー４をスピーカー載置台１０上に確実
に保持することができる。
【００３０】
スピーカー４の振動が弾性材からなるホルダ１３で吸収されるから、従来のようにスピ
ーカー４の振動がフロントキャビネット３Ａに伝わってビビリ音を発生させることがなく
、ユーザに良好な音響環境を与えることができる。
【００３１】
ホルダ１３には、スピーカー４の保持機能と該スピーカー４の振動吸収機能との両機能
が備えられており、振動吸収用不織布などが不要であって、構造簡単であり、コストダウ
ンを図ることができる。
【００３２】
ホルダ１３の環状本体１３ａによりスピーカー４の外周縁とスピーカー載置台１０との
間の隙間を塞いでいるため、側方に音が漏れてキャビネット３内にこもることがなく、高
音質のスピーカー４を提供することができる。
【００３３】
一対の縁板部１３ｄをスピーカー４の外周縁に当接させることにより、該スピーカー４
にホルダ１３を不測に外れないように確実に取り付けることができると共に、音漏れを一
層防ぐことができる。
【００３４】
落下試験などでキャビネット３に衝撃がかかり、その衝撃力によりスピーカー４がスピ
ーカー載置台１０上から脱落されようとしても、その脱落をフロントキャビネット３Ａの
裏面に一体突設したストッパ２４で阻止して、スピーカー４をスピーカー載置台１０上に
一層確実に保持することができる。
【産業上の利用可能性】
【００３５】
上記の実施の一形態では、液晶テレビを例にあげて説明したが、これに限定されるわけ
ではなく、例えば液晶モニターなどの各種薄型表示装置にも適用される。
【符号の説明】
【００３６】
２          液晶モジュ−ル（薄型表示部）
３          キャビネット
３Ａ        フロントキャビネット
３Ｂ        リアキャビネット
３ａ        フロントキャビネットの底板部
４          スピーカー
１０        スピーカー載置台
１１        支持杆
１２        抜け止め部材
１３        ホルダ
１３ａ      ホルダの環状本体
１３ｂ      ホルダのアーム部
１３ｃ      ホルダの係合枠
１３ｄ      ホルダの縁板部
２４        ストッパ
【図１】
2010283636.tif 000003
【図２】
2010283636.tif 000004
【図３】
2010283636.tif 000005
【図４】
2010283636.tif 000006
【図５】
2010283636.tif 000007
【図６】
2010283636.tif 000008
【図７】
2010283636.tif 000009